(57)【要約】【課題】測定条件を、間歇的に変化させて測定された測定値が集積されて形成されたデータの検索において、検索したい特定の測定条件における測定値が存在しない場合でも、検索対象を見逃すことのないデータ検索装置を提供する。【解決手段】データ検索装置を、測定値データ１ａ、パラメータデータ１ｂ、特性の名称１ｃ、測定条件の名称１ｄ、及び、物質の名称１ｅを記憶する記憶手段１と、特性の名称１ｃ、該特性の特性値検索範囲、測定条件の名称１ｄ、該測定条件の検索範囲が入力される検索条件入力手段２と、該入力された特性名称１ｃ及び測定条件名称１ｄが含まれる物質特性データを、記憶手段１から抽出する抽出手段３と、該抽出された物質特性データが、検索結果適合か検索結果不適合かを判断する判断手段４と、検索結果適合と判断された物質特性データに含まれる物質名称１ｅを出力する出力手段５とで構成する。【選択図】図１
2006285766.tif 000002
【特許請求の範囲】
【請求項１】
物質の特性の測定条件を、間歇的に変化させて設けられた測定点で測定された前記物質の特性の測定値が、集積されて形成された物質特性データを検索するデータ検索装置であって、
前記測定点及び該測定点に対応する測定値で構成される測定値データと、該測定値データから補間曲線を演算するのに用いられるパラメータデータとを、前記特性の名称、前記測定条件の名称、及び、前記物質の名称と共に、物質特性データとして記憶する記憶手段と、
前記特性の名称及び該特性の特性値検索範囲が、前記測定条件の名称及び該測定条件の検索範囲と共に、検索条件として入力される検索条件入力手段と、
該検索条件入力手段により入力された特性名称及び測定条件名称が含まれる物質特性データである物質特性検索データを、前記記憶手段に記憶されている物質特性データから抽出する抽出手段と、
該抽出手段により抽出された物質特性検索データが、検索結果適合か検索結果不適合かを判断する判断手段と、
該判断手段により検索結果適合と判断された物質特性検索データに含まれる物質名称を出力する出力手段と、を備えており、
前記判断手段は、
前記抽出手段により抽出された物質特性検索データにおける測定値データの測定点が、前記検索条件入力手段により入力された測定条件の検索範囲内に、含まれると検索測定点含有、含まれないと検索測定点非含有と判断する検索測定点含有判断部と、
該検索測定点含有判断部により検索測定点含有と判断された場合は、該検索測定点含有と判断された測定点に対応する測定値が、前記検索条件入力手段により入力された特性値検索範囲内に、含まれると検索測定値含有、含まれないと検索測定値非含有と判断する検索測定値含有判断部と、
該検索測定値含有判断部により検索測定値非含有と判断された場合、又は、前記検索測定点含有判断部により検索測定点非含有と判断された場合は、前記抽出手段により抽出された物質特性検索データの測定値データとパラメータデータとから、前記検索条件入力手段により入力された測定条件の検索範囲における補間曲線の演算を行う補間曲線演算部と、
該補間曲線演算部により演算された補間曲線の少なくとも一部が、前記検索条件入力手段により入力された特性値検索範囲内に、含まれない場合は、前記物質特性検索データを検索結果不適合と判断し、含まれる場合、又は、前記検索測定値含有判断部により検索測定値含有と判断された場合は、前記物質特性検索データを検索結果適合と判断する検索結果判断部と、で構成されることを特徴とするデータ検索装置。
【請求項２】
前記出力手段は、前記物質名称と共に該物質名称が含まれる物質特性検索データの測定値データを出力する請求項１記載のデータ検索装置。
【請求項３】
前記記憶手段は、前記測定値データから補間曲線を演算する単又は複数種類の補間曲線演算方法に対応したパラメータデータを記憶しており、
前記検索条件入力手段により、前記補間曲線演算方法の１つが、前記特性の名称、前記特性値検索範囲、前記測定条件の名称、及び、前記測定条件検索範囲の入力と同時に指定されると共に、
前記補間曲線演算部は、前記単又は複数種類の補間曲線演算方法を備えると共に、前記検索条件入力手段により指定された補間曲線演算方法に基づいて、補間曲線を演算する請求項１又は２記載のデータ検索装置。
【請求項４】
前記補間曲線演算方法の１つが、スプライン曲線補間方法である請求項３記載のデータ検索装置。
【請求項５】
前記物質の前記測定値データが、前記物質の名称、前記特性の名称、及び、前記測定条件の名称と共に入力されるデータ入力手段と、
該データ入力手段により入力された測定値データに基づいて、前記パラメータデータを演算するパラメータデータ演算手段と、
前記データ入力手段により入力された前記物質の名称、前記特性の名称、前記測定条件の名称、及び、前記測定値データと、前記パラメータデータ演算手段により演算された前記パラメータデータとを、前記記憶手段に記憶させる記憶指示手段と、を備えた請求項１〜４のいずれか１項に記載のデータ検索装置。
【請求項６】
物質の特性の測定条件を、間歇的に変化させて設けられた測定点で測定された前記物質の特性の測定値が、集積されて形成された物質特性データを、コンピュータを用いて検索するデータ検索方法であって、
前記コンピュータは、前記測定点及び該測定点に対応する測定値で構成される測定値データと、該測定値データから補間曲線を演算するのに用いられるパラメータデータとを、前記特性の名称、前記測定条件の名称、及び、前記物質の名称と共に、物質特性データとして記憶しているメモリを備えており、
前記特性の名称及び該特性の特性値検索範囲が、前記測定条件の名称及び該測定条件の検索範囲と共に、検索条件として入力される検索条件入力ステップと、
該検索条件入力ステップで入力された特性名称及び測定条件名称が含まれる物質特性データである物質特性検索データを、前記メモリに記憶されている物質特性データから抽出する物質特性検索データ抽出ステップと、
該抽出ステップで抽出された物質特性検索データにおける測定値データの測定点が、前記検索条件入力ステップで入力された測定条件の検索範囲内に、含まれると検索測定点含有、含まれないと検索測定点非含有と判断する検索測定点含有判断ステップと、
該検索測定点含有判断ステップで検索測定点含有と判断された場合は、該検索測定点含有と判断された測定点に対応する測定値が、前記検索条件入力ステップで入力された特性値検索範囲内に、含まれると検索測定値含有、含まれないと検索測定値非含有と判断する検索測定値含有判断ステップと、
該検索測定値含有判断ステップで検索測定値非含有と判断された場合、又は、前記検索測定点含有判断ステップで検索測定点非含有と判断された場合は、前記抽出ステップで抽出された物質特性検索データの測定値データとパラメータデータとから、前記検索条件入力ステップで入力された測定条件の検索範囲における補間曲線の演算を行う補間曲線演算ステップと、
該補間曲線演算ステップで演算された補間曲線の少なくとも一部が、前記検索条件入力ステップで入力された特性値検索範囲内に、含まれない場合は、前記抽出ステップで抽出された物質特性検索データを検索結果不適合と判断し、含まれる場合、又は、前記検索測定値含有判断ステップで検索測定値含有と判断された場合は、前記抽出ステップで抽出された物質特性検索データを検索結果適合と判断する検索結果判断ステップと、
該検索結果判断ステップで、検索結果適合と判断された物質特性検索データに含まれる物質名称を出力する出力ステップと、を備えることを特徴とするデータ検索方法。
【請求項７】
前記出力ステップでは、前記物質名称と共に該物質名称が含まれる物質特性検索データの測定値データを出力する請求項６記載のデータ検索方法。
【請求項８】
前記メモリは、前記測定値データから補間曲線を演算する単又は複数種類の補間曲線演算方法に対応したパラメータデータを記憶しており、
前記検索条件入力ステップでは、前記補間曲線演算方法の１つが、前記特性の名称、前記特性値検索範囲、前記測定条件の名称、及び、前記測定条件検索範囲の入力と同時に指定されると共に、
前記補間曲線演算ステップでは、前記検索条件入力ステップで指定された補間曲線演算方法に基づいて、補間曲線を演算する請求項６又は７記載のデータ検索方法。
【請求項９】
前記補間曲線演算方法の１つが、スプライン曲線補間方法である請求項８記載のデータ検索方法。
【請求項１０】
請求項６〜請求項９のいずれか１項に記載のデータ検索方法が有する各ステップを備えており、該データ検索方法で用いられる全ての記憶情報を備えたコンピュータにより実行可能なデータ検索プログラム。
【請求項１１】
請求項１０に記載のデータ検索プログラムが記録されたプログラム媒体。
【発明の詳細な説明】
【技術分野】
【０００１】
本発明は、物質の特性等のデータを検索するデータ検索装置、データ検索方法、そのデータ検索方法をコンピュータで実行するデータ検索プログラム、及び、そのプログラムを記録した記録媒体に関する。
【背景技術】
【０００２】
製品に使用される素材に対しては、常に、より優れた性能を有するものが求められており、これらの素材について、日夜、研究開発が進められている。この素材の研究開発に際しては、素材の特性を把握するために、各種素材に対する特性を測定する特性試験が行われ、収集されたデータをデータベース化して用いられている。
【０００３】
製品開発の現場では、これらの過去に行われた素材試験のデータを蓄積したデータベースを検索して、製品に最適な素材を探索する作業が行われている。このような素材の探索では、特定の測定条件における特定の特性を有する素材を探索する必要があり、このような探索に適した各種の検索システムが提案されている（例えば、特許文献１参照）。
【０００４】
特許文献１に記載されている検索システムは、粘着剤や粘着テープに関するもので、過去の素材試験や製品から得られた粘着剤や粘着テープの特性値、例えば、粘着性や耐熱性等のデータを蓄積したデータベースから、特定の測定条件における特定の特性値を有する粘着剤や粘着テープを、検索手段により検索するものである。
【特許文献１】特開平８−２５５１９０号公報
【発明の開示】
【発明が解決しようとする課題】
【０００５】
ところで、上記のような各種素材に対する特性を測定したデータを蓄積したデータベースでは、蓄積されているデータは、一般に、測定条件を、間歇的に変化させて測定された測定値が集積されて形成されている。このため、これらのデータベースを検索するに際して、検索したい特定の測定条件における測定値が、必ずしも存在するとは限らない。例えば、あるデータベースにおいて、測定条件として、温度が、０℃、１０℃、２０℃、３０℃、・・・における測定値でデータが構成されている場合、１５℃における測定値は存在しない。
【０００６】
そこで、このようなデータベースを検索するに際して、実際に、ある素材が、探索している優れた特性を備えているにもかかわらず、たまたま、その素材のデータベースに、検索したい特定の測定条件におけるその素材の測定値が存在しない場合、この素材を見逃してしまう恐れがある。例えば、熱伝導率を測定したデータベースにおいて、ある温度に対する熱伝導率を検索する場合、その温度に対するある素材の測定値が存在しない場合は、この素材は、検索対象から外れてしまい、有用な素材を見逃してしまう恐れがある。特許文献１に記載されている検索システムにおいても、このようなリスクが存在すると考えられる。
【０００７】
そこで、この発明は、上記のような状況に対処するためになされたものであって、測定条件を、間歇的に変化させて測定された測定値が集積されて形成されたデータの検索において、検索したい特定の測定条件における測定値が存在しない場合でも、検索対象を見逃すことのないデータ検索装置及びデータ検索方法を提供しようとするものである。
【課題を解決するための手段】
【０００８】
図１は、本発明のデータ検索装置の構成を示したブロック図である。本発明のデータ検索装置は、物質の特性の測定条件を、間歇的に変化させて設けられた測定点で測定された物質の特性の測定値が、集積されて形成された物質特性データを検索するデータ検索装置である。図１において、このデータ検索装置は、記憶手段１、検索条件入力手段２、抽出手段３、判断手段４、及び、出力手段５を備えている（尚、この構成に、図１の点線で囲まれた部分は含まれない）。
【０００９】
この内、記憶手段１は、測定点及び該測定点に対応する測定値で構成される測定値データ１ａと、該測定値データ１ａから補間曲線を演算するのに用いられるパラメータデータ１ｂとを、特性の名称１ｃ、測定条件の名称１ｄ、及び、物質の名称１ｅと共に、物質特性データとして記憶する機能を有する。検索条件入力手段２は、特性の名称１ｃ及び該特性の特性値検索範囲が、測定条件の名称１ｄ及び該測定条件の検索範囲と共に、検索条件として入力される機能を有する。
【００１０】
抽出手段３は、検索条件入力手段２により入力された特性名称１ｃ及び測定条件名称１ｄが含まれる物質特性データである物質特性検索データを、記憶手段１に記憶されている物質特性データから抽出する機能を有する。判断手段４は、抽出手段３により抽出された物質特性検索データが、検索結果適合か検索結果不適合かを判断する機能を有する。そして、出力手段５は、判断手段４により検索結果適合と判断された物質特性検索データに含まれる物質名称１ｅを出力する機能を有する。
【００１１】
上記のデータ検索装置は、判断手段４が、検索測定点含有判断部４ａ、検索測定値含有判断部４ｂ、補間曲線演算部４ｃ、及び、検索結果判断部４ｄで構成されることを特徴としている。
【００１２】
この内、検索測定点含有判断部４ａは、抽出手段３により抽出された物質特性検索データにおける測定値データ１ａの測定点が、検索条件入力手段２により入力された測定条件の検索範囲内に、含まれると検索測定点含有、含まれないと検索測定点非含有と判断する機能を有する。
【００１３】
検索測定値含有判断部４ｂは、検索測定点含有判断部４ａにより検索測定点含有と判断された場合に、該検索測定点含有と判断された測定点に対応する測定値が、検索条件入力手段２により入力された特性値検索範囲内に、含まれると検索測定値含有、含まれないと検索測定値非含有と判断する機能を有する。
【００１４】
補間曲線演算部４ｃは、検索測定値含有判断部４ｂにより検索測定値非含有と判断された場合、又は、検索測定点含有判断部４ａにより検索測定点非含有と判断された場合に、抽出手段３により抽出された物質特性検索データの測定値データ１ａとパラメータデータ１ｂとから、検索条件入力手段２により入力された測定条件の検索範囲における補間曲線の演算を行う機能を有する。
【００１５】
そして、検索結果判断部４ｄは、補間曲線演算部４ｃにより演算された補間曲線の少なくとも一部が、検索条件入力手段２により入力された特性値検索範囲内に、含まれない場合に、物質特性検索データを検索結果不適合と判断し、含まれる場合、又は、検索測定値含有判断部４ｂにより検索測定値含有と判断された場合に、物質特性検索データを検索結果適合と判断する機能を有する。
【００１６】
尚、上記のデータ検索装置において、検索結果適合とは、抽出手段３により抽出された物質特性検索データが、検索条件入力手段２により入力された検索条件に適合していることを意味しており、検索結果不適合とは、同じく上記の物質特性検索データが、同じく上記の検索条件に適合していないことを意味している。
【００１７】
上記のデータ検索装置によれば、検索したい特定の測定条件における測定値が存在しない場合でも、判断手段４の補間曲線演算部４ｃにより、物質特性検索データの測定値データ１ａとパラメータデータ１ｂとから、検索条件入力手段２により入力された測定条件の検索範囲における補間曲線が演算されて、検索結果の判断が行われる。従って、検索したい特定の測定条件における測定値が存在しない場合でも、検索対象を見逃すことを防止することができる。
【００１８】
上記のデータ検索装置において、出力手段５は、物質名称１ｅと共に該物質名称１ｅが含まれる物質特性検索データの測定値データ１ａを出力するようにしてもよい。このようにすることにより、検索結果適合と判断された物質の名称１ｅと同時に、当該物質の測定値データ１ａを参照することができ、便宜である。
【００１９】
又、上記のデータ検索装置において、次のようにしてもよい。即ち、記憶手段１は、測定値データ１ａから補間曲線を演算する単又は複数種類の補間曲線演算方法に対応したパラメータデータ１ｂを記憶する。そして、検索条件入力手段２により、上記の補間曲線演算方法の１つが、特性の名称１ｃ、特性値検索範囲、測定条件の名称１ｄ、及び、測定条件検索範囲の入力と同時に指定されるようにする。その上で、補間曲線演算部４ｃは、上記の単又は複数種類の補間曲線演算方法を備えると共に、検索条件入力手段２により指定された補間曲線演算方法に基づいて、補間曲線を演算するようにするのである。この場合に、補間曲線演算方法の１つを、スプライン曲線補間方法とすることができる。
【００２０】
このようにすることにより、補間曲線の演算方法を自由に指定することができ、上記のデータ検索装置において、検索目的に最適な補間曲線の演算方法を使用することができる。
【００２１】
又、上記のデータ検索装置において、図１の点線で囲まれた部分に存在する、データ入力手段６、パラメータデータ演算手段７、及び、記憶指示手段８を追加するようにしてもよい。ここで、データ入力手段６は、物質の測定値データ１ａが、物質の名称１ｅ、特性の名称１ｃ、及び、測定条件の名称１ｄと共に入力される機能を有する。パラメータデータ演算手段７は、データ入力手段６により入力された測定値データ１ａに基づいて、パラメータデータ１ｂを演算する機能を有する。そして、記憶指示手段８は、データ入力手段６により入力された物質の名称１ｅ、特性の名称１ｃ、測定条件の名称１ｄ、及び、測定値データ１ａと、パラメータデータ演算手段７により演算されたパラメータデータ１ｂとを、記憶手段１に記憶させる機能を有する。
【００２２】
このようにすることにより、上記のデータ検索装置に、物質特性データを入力することができ、データ検索装置に蓄積される物質特性データの量を増加させることができる。
【００２３】
次に、本発明のデータ検索方法について説明する。本発明のデータ検索方法は、物質の特性の測定条件を、間歇的に変化させて設けられた測定点で測定された物質の特性の測定値が、集積されて形成された物質特性データを、コンピュータを用いて検索するデータ検索方法である。
【００２４】
上記のデータ検索方法で用いられるコンピュータは、測定点及び該測定点に対応する測定値で構成される測定値データと、該測定値データから補間曲線を演算するのに用いられるパラメータデータとを、特性の名称、測定条件の名称、及び、物質の名称と共に、物質特性データとして記憶しているメモリを備えている。
【００２５】
又、上記のデータ検索方法は、検索条件入力ステップ、物質特性検索データ抽出ステップ、検索測定点含有判断ステップ、検索測定値含有判断ステップ、補間曲線演算ステップ、検索結果判断ステップ、及び、出力ステップを備えていることを特徴としている。
【００２６】
この内、検索条件入力ステップは、特性の名称及び該特性の特性値検索範囲が、測定条件の名称及び該測定条件の検索範囲と共に、検索条件として入力される機能を有する。
【００２７】
物質特性検索データ抽出ステップは、検索条件入力ステップで入力された特性名称及び測定条件名称が含まれる物質特性データである物質特性検索データを、メモリに記憶されている物質特性データから抽出する機能を有する。
【００２８】
検索測定点含有判断ステップは、抽出ステップで抽出された物質特性検索データにおける測定値データの測定点が、検索条件入力ステップで入力された測定条件の検索範囲内に、含まれると検索測定点含有、含まれないと検索測定点非含有と判断する機能を有する。
【００２９】
検索測定値含有判断ステップは、検索測定点含有判断ステップで検索測定点含有と判断された場合に、該検索測定点含有と判断された測定点に対応する測定値が、検索条件入力ステップで入力された特性値検索範囲内に、含まれると検索測定値含有、含まれないと検索測定値非含有と判断する機能を有する。
【００３０】
補間曲線演算ステップは、検索測定値含有判断ステップで検索測定値非含有と判断された場合、又は、検索測定点含有判断ステップで検索測定点非含有と判断された場合に、抽出ステップで抽出された物質特性検索データの測定値データとパラメータデータとから、検索条件入力ステップで入力された測定条件の検索範囲における補間曲線の演算を行う機能を有する。
【００３１】
検索結果判断ステップは、補間曲線演算ステップで演算された補間曲線の少なくとも一部が、検索条件入力ステップで入力された特性値検索範囲内に、含まれない場合に、抽出ステップで抽出された物質特性検索データを検索結果不適合と判断し、含まれる場合、又は、検索測定値含有判断ステップで検索測定値含有と判断された場合に、抽出ステップで抽出された物質特性検索データを検索結果適合と判断する機能を有する。
【００３２】
そして、出力ステップは、検索結果判断ステップで、検索結果適合と判断された物質特性検索データに含まれる物質名称を出力する機能を有する。
【００３３】
上記のデータ検索方法において、出力ステップでは、物質名称と共に該物質名称が含まれる物質特性検索データの測定値データを出力するようにしてもよい。
【００３４】
又、メモリは、測定値データから補間曲線を演算する単又は複数種類の補間曲線演算方法に対応したパラメータデータを記憶し、検索条件入力ステップでは、補間曲線演算方法の１つが、特性の名称、特性値検索範囲、測定条件の名称、及び、測定条件検索範囲の入力と同時に指定されると共に、補間曲線演算ステップでは、検索条件入力ステップで指定された補間曲線演算方法に基づいて、補間曲線を演算するようにしてもよい。この場合に、補間曲線演算方法の１つを、スプライン曲線補間方法とすることができる。
【００３５】
上記の各データ検索方法は、上述したデータ検索装置と同様の作用、効果を有する。
【００３６】
又、上述したデータ検索方法を実行するコンピュータプログラムを作成することができる。このコンピュータプログラムは、上述したデータ検索方法が有する各ステップを備えており、該データ検索方法で用いられる全ての記憶情報を備えたコンピュータにより実行可能なデータ検索プログラムである。又、このデータ検索プログラムが記録されたＣＤ−ＲＯＭやＤＶＤ−ＲＯＭ等のプログラム記録媒体を製作することができる。
【発明の効果】
【００３７】
本発明によれば、検索したい特定の測定条件における測定値が存在しない場合でも、物質特性検索データの測定値データとパラメータデータとから、測定条件の検索範囲における補間曲線が演算されて検索結果の判断が行われる。従って、検索したい特定の測定条件における測定値が存在しない場合でも、検索対象を見逃すことを防止することができる。
【００３８】
又、本発明によれば、補間曲線の演算方法を指定することができ、検索目的に最適な補間曲線の演算方法を使用することができる。又、物質特性データを入力する手段を設けることができ、検索対象として蓄積される物質特性データの量を増加させることができる。
【発明を実施するための最良の形態】
【００３９】
以下、本実施の形態におけるデータ検索装置について、図面を参照しながら詳しく説明する。本実施の形態におけるデータ検索装置は、開発素材の特性データを検索対象データとしたデータ検索を行うための装置である。このデータ検索装置では、検索条件として、開発素材の特性名、特性値検索範囲、測定条件名、及び、測定条件検索範囲を入力することにより、これらの入力条件に適合する特性データを備えた開発素材を検索するものである。
【００４０】
本実施の形態におけるデータ検索装置としては、一般的なパソコンが用いられ、図２は、このパソコン１０が用いられたデータ検索装置の構成を示したブロック図である。このパソコン１０は、図２に示すように、半導体メモリやハードディスク等でなるメモリ部１１、キーボードとマウスでなる入力部１２、液晶表示器でなる表示部１３、及び、マイクロコンピュータ等でなるＣＰＵ部１４で構成される。メモリ部１１には、本実施の形態におけるデータ検索装置の機能を実現するために必要な各種のプログラムでなるソフトウエアと、開発素材の特性データ（前述の物質特性データ）が収納されている。
【００４１】
尚、本実施の形態におけるデータ検索装置１０では、前述した図１における記憶手段１は、メモリ部１１と上記のソフトウエア等で実現され、検索条件入力手段２は、入力部１２と上記のソフトウエア等で実現され、出力手段５は、表示部１３と上記のソフトウエア等で実現される。又、抽出手段３と、判断手段４を構成する検索測定点含有判断部４ａ、検索測定値含有判断部４ｂ、補間曲線演算部４ｃ、及び、検索結果判断部４ｄは、ＣＰＵ部１４と上記のソフトウエア等で実現される。又、データ入力手段６は、入力部１２と上記のソフトウエア等で実現され、パラメータデータ演算手段７、及び、記憶指示手段８は、ＣＰＵ部１４と上記のソフトウエア等で実現される。
【００４２】
図３（ａ）は、パソコン１０のメモリ部１１に収納されている開発素材の特性データの例を示したものである。この開発素材の特性データは、開発素材名（前述の物質の名称）、特性名（前述の特性の名称）、測定条件名（前述の測定条件の名称）、測定値データ、パラメータデータ、及び、開発素材の組成で構成されている。本実施の形態では、開発素材名として、Ａ−１、Ａ−２、Ａ−３、・・・、Ｂ−１、Ｂ−２、Ｂ−３、・・・、Ｃ−１、Ｃ−２、Ｃ−３、・・・、が用いられ、特性名として、熱伝導率のほか、膨張率、電気抵抗等の特性名が用いられ、測定条件名として、温度のほか、湿度、圧力等の測定条件名が用いられている。又、図３（ｂ）は、図３（ａ）における測定値データの例を示したものであり、図３（ｃ）は、図３（ａ）における開発素材の組成の例を示したものである。
【００４３】
上記の測定値データは、図３（ｂ）に示すように、温度等の測定条件を間歇的に変化させて設けられた測定点で測定された特性の測定値を、測定点と対応させたものである。又、パラメータデータは、測定値データ中に測定点が存在しない測定条件における特性を求めるための補間曲線を演算するのに用いられるデータである。本実施の形態では、この補間曲線を演算する方法として、スプライン曲線補間方法を用いている。スプライン曲線補間方法は、スプライン関数と呼ばれる関数を利用して、補間曲線を作成する方法である。
【００４４】
図４（ａ）は、スプライン曲線補間方法で使用されるＢスプライン曲線の模式図を示したものである。Ｂスプライン曲線は、ノット間毎のベジェ曲線の集合で構成されており、四角が制御点、白塗三角がノットであり、黒丸はノット間毎のベジェ曲線の境界を表している。上記のパラメータデータは、この制御点とノットの値で構成されており、図４（ｂ）は、このパラメータデータを示したものである。これらのパラメータデータを用いて演算を行うことにより、測定値をプロットした点群を近似したスプライン曲線を作成することができ、スプライン曲線補間方法は、これを利用したものである。このスプライン曲線の演算は、メモリ部１１に収納されたプログラムを用いて行われる。スプライン曲線補間方法としては、Ｂスプライン曲線のほか、通常のスプライン曲線を用いる方法もあり、この方法を用いるようにしてもよい。通常のスプライン曲線は、Ｂスプライン曲線と異なり、作成された曲線は、全ての制御点を通過する特徴がある。
【００４５】
次に、本実施の形態におけるデータ検索装置の動作について説明する。このデータ検索装置の動作は、データ検索処理とデータ入力処理に分類される。パソコン１０の表示部１３には、最初に、図７に示すイニシャル画面が表示されている。このイニシャル画面の「データ検索」をマウスでクリックするとデータ検索処理が行われ、「データ入力」をクリックするとデータ入力処理が行われる。
【００４６】
まず、データ検索処理について説明する。図６は、このデータ検索装置のデータ検索処理における動作を示したフローチャートであり、図７は、図６のフローチャートにおけるステップ３（Ｓ３）の詳細動作を示したフローチャートである。
【００４７】
データ検索処理では、図６において、最初に、検索条件の入力が要求される（Ｓ１）。パソコン１０の表示部１３には、図８に示す検索画面が表示されるので、入力部１２のキーボードとマウスを操作して、検索画面に検索条件を入力する。この入力で用いられる検索条件は、検索する特性の名称である特性名、及び、この特性の特性値検索範囲と、検索する特性に対する測定条件名、及び、この測定条件の検索範囲とである。例えば、図８に示す検索画面では、特性名として「熱伝導率（Ｗ／ｍｋ）」、測定条件名として「温度（℃）」、特性値検索範囲として「１０．０〜２０．０」、そして、測定条件の検索範囲として「１６２〜１６５」が入力される。尚、図８のｘは、測定条件である温度を表しており、ｙは、特性値である熱伝導率を表している。これらの検索条件を入力後、図８に示す検索画面の「検索実行」をクリックすることで、検索条件の入力が完了する（Ｓ１）。
【００４８】
検索条件の入力が完了すると（Ｓ１）、入力された特性名と測定条件名を有する特性データが、メモリ部１１から抽出され、一時的なメモリーエリアに記憶される（Ｓ２）。上記の例では、特性名として「熱伝導率」、測定条件名として「温度」を有する特性データが全て抽出される。この抽出された特性データを、特性検索データ（前述の物質特性検索データ）と称する。
【００４９】
次に、抽出された特性データである特性検索データが、１件ずつ、検索条件に適合するか否かが判断される（Ｓ３）。この判断処理は、図７において、まず、特性検索データにおける測定値データの測定点が、入力された測定条件の検索範囲内に含まれるか否かがチェックされ（Ｓ３１）、含まれると検索測定点含有と判断され（Ｓ３３）、含まれないと検索測定点非含有と判断される（Ｓ３２）。
【００５０】
Ｓ３１で検索測定点含有と判断された場合は（Ｓ３３）、この検索測定点含有と判断された測定点に対応する測定値が、入力された特性値検索範囲内に含まれるか否かがチェックされ（Ｓ３４）、含まれると検索測定値含有と判断され（Ｓ３５）、含まれないと検索測定値非含有と判断される（Ｓ３６）。
【００５１】
Ｓ３４で検索測定値非含有と判断された場合（Ｓ３６）、又は、Ｓ３１で検索測定点非含有と判断された場合（Ｓ３２）は、特性検索データの測定値データとパラメータデータとを用いて、入力された測定条件の検索範囲における補間曲線の演算が行なわれる（Ｓ３７）。
【００５２】
そして、次に、Ｓ３７で演算された補間曲線の少なくとも一部が、入力された特性値検索範囲内に含まれるか否かがチェックされ（Ｓ３８）、含まれない場合は、特性検索データが検索結果不適合と判断され（Ｓ４０）、含まれる場合、又は、Ｓ３４で検索測定値含有と判断された場合は（Ｓ３５）、特性検索データが検索結果適合と判断される（Ｓ３９）。
【００５３】
次に、上記で説明した特性検索データが検索条件に適合するか否かの判断について、図９に示す特性検索データにおける測定値データを用いて、具体的に説明する。図９に示す特性検索データにおける測定値データは、開発素材Ａ−５、Ｂ−２、及び、Ｃ−４のデータであり、いずれも、上述した例における検索条件の特性名、即ち、「熱伝導率（Ｗ／ｍｋ）」と、測定条件名、即ち、「温度（℃）」とを有する特性検索データの測定値データである。
【００５４】
まず、開発素材Ｃ−４について検討すると、図１０に示す開発素材Ｃ−４の測定値データにおいて、最初に、図７のＳ３１のチェック、即ち、入力された上記の測定条件の検索範囲（１６２℃〜１６５℃）内に測定値データの測定点が含まれるか否かがチェックされる。すると、図１０から、測定条件の検索範囲内に測定点１６５℃が存在しており、測定値データの測定点が測定条件の検索範囲内に含まれる。そこで、図７のＳ３１で、検索測定点含有と判断されるので（図７のＳ３３）、次に、図７のＳ３４のチェック、即ち、検索測定点含有と判断された測定点に対応する測定値が、入力された上記の特性値検索範囲（１０．０Ｗ／ｍｋ〜２０．０Ｗ／ｍｋ）内に含まれるか否かがチェックされる。すると、測定点１６５℃における測定値は、図１０から、１８．７Ｗ／ｍｋであるので、特性値検索範囲内に含まれる。そこで、図７のＳ３４で、検索測定値含有と判断され（図７のＳ３５）、従って、この開発素材Ｃ−４の特性検索データは、検索結果適合と判断される（図７のＳ３９）。
【００５５】
次に、開発素材Ｂ−２について検討すると、図１１に示す開発素材Ｂ−２の測定値データにおいて、最初に、図７のＳ３１のチェック、即ち、上記の測定条件の検索範囲（１６２℃〜１６５℃）内に測定値データの測定点が含まれるか否かがチェックされる。すると、図１１から、測定条件の検索範囲内には測定点が存在していないので、測定点は測定条件の検索範囲内に含まれない。そこで、図７のＳ３１で、検索測定点非含有と判断されるので（図７のＳ３２）、次に、図７のＳ３７における補間曲線の演算が行われ、図１１に示す補間曲線が作成される。そして、次に、この作成された補間曲線の少なくとも一部が、上記の特性値検索範囲（１０．０Ｗ／ｍｋ〜２０．０Ｗ／ｍｋ）内に含まれるか否かがチェックされる（図７のＳ３８）。すると、図１１から、測定条件の検索範囲内の補間曲線は、特性値検索範囲内に存在しているので、補間曲線の少なくとも一部は特性値検索範囲内に含まれる。そこで、図７のＳ３８で、この開発素材Ｂ−２の特性検索データは、検索結果適合と判断される（図７のＳ３９）。
【００５６】
最後に、開発素材Ａ−５について検討すると、図１２に示す開発素材Ａ−５の測定値データにおいて、最初に、図７のＳ３１のチェック、即ち、上記の測定条件の検索範囲（１６２℃〜１６５℃）内に測定値データの測定点が含まれるか否かがチェックされる。すると、図１２から、開発素材Ｂ−２の場合と同様、測定条件の検索範囲内には測定点が存在していないので、測定点は測定条件の検索範囲内に含まれない。そこで、図７のＳ３１で、検索測定点非含有と判断されるので（図７のＳ３２）、次に、開発素材Ｂ−２の場合と同様、図７のＳ３７における補間曲線の演算が行われ、図１２に示す補間曲線が作成される。そして、次に、この作成された補間曲線の少なくとも一部が、上記の特性値検索範囲（１０．０Ｗ／ｍｋ〜２０．０Ｗ／ｍｋ）内に含まれるか否かがチェックされる（図７のＳ３８）。すると、図１２から、測定条件の検索範囲内の補間曲線は、特性値検索範囲内に存在していないので、補間曲線の少なくとも一部が特性値検索範囲内に含まれることはありえない。そこで、図７のＳ３８で、この開発素材Ａ−５の特性検索データは、検索結果不適合と判断される（図７のＳ４０）。
【００５７】
尚、上記の開発素材Ｃ−４の検討において、仮に、開発素材Ｃ−４の測定値データが、図１３、或いは、図１４に示すようなデータである場合は、いずれの場合も、図７のＳ３１のチェックで検索測定点含有と判断された測定点に対応する測定値が、上記の特性値検索範囲（１０．０Ｗ／ｍｋ〜２０．０Ｗ／ｍｋ）内に含まれていない。そこで、図７のＳ３４のチェックで、検索測定値非含有と判断され（図７のＳ３６）、次に、開発素材Ｂ−２の場合や開発素材Ａ−５の場合と同様、図７のＳ３７における補間曲線の演算が行われ、図１３、或いは、図１４に示すような補間曲線が作成される。そして、次に、この作成された補間曲線の少なくとも一部が、上記の特性値検索範囲（１０．０Ｗ／ｍｋ〜２０．０Ｗ／ｍｋ）内に含まれるか否かがチェックされる（図７のＳ３８）。
【００５８】
そこで、図１３の場合は、測定条件の検索範囲内の補間曲線が、特性値検索範囲内に存在しているので、補間曲線の少なくとも一部は特性値検索範囲内に含まれる。そこで、図７のＳ３８で、この開発素材Ｃ−４の特性検索データは、検索結果適合と判断される（図７のＳ３９）。又、図１４の場合は、測定条件の検索範囲内の補間曲線が、特性値検索範囲内に存在していないので、補間曲線の少なくとも一部が特性値検索範囲内に含まれることはありえない。そこで、図７のＳ３８で、この開発素材Ｃ−４の特性検索データは、検索結果不適合と判断される（図７のＳ４０）。
【００５９】
上記のようにして、抽出された特性データである特性検索データ１件に対する検索条件に適合するか否かの判断が終了すると（図６のＳ３）、全ての特性検索データに対する上記の適否判断が終了したか否かがチェックされ（図６のＳ４）、終了していなければ、Ｓ２に戻って、上述した処理が繰り返される。終了していれば、検索結果適合と判断された特性検索データにおける開発素材名と関連データが、表示部１３に表示される（図６のＳ５）。図１５は、上記の例における表示部１３に表示される検索結果の画面を示したものである。図１５の画面では、検索結果適合と判断された開発素材Ｂ−２とＣ−４の開発素材名、及びその組成が表示されている。
【００６０】
本実施の形態では、図１５の画面で、例えば、開発素材Ｂ−２を指定して、「詳細」をクリックすると、図１６に示すように、開発素材名Ｂ−２及びその組成と共に、開発素材Ｂ−２の特性検索データにおける測定値データが表示される。
【００６１】
ところで、上述したように、パソコン１０の表示部１３に最初に表示される図５に示したイニシャル画面において、「データ入力」をクリックすることにより、データ入力処理が行われる。このデータ入力処理では、データ検索装置であるパソコン１０のメモリ部１１に、開発素材の特性データを入力して記憶させるものである。この開発素材の特性データの内、開発素材名、特性名、測定条件名、測定値データ、及び、開発素材の組成については、入力部１２のキーボードを用いて行われる。又、開発素材の特性データの内、パラメータデータは、入力部１２のキーボードから入力された測定値データを基にして、メモリ部１１に収納されたプログラムにより演算されて、メモリ部１１に記憶される。
【００６２】
上記の本実施の形態におけるデータ検索装置によれば、検索したい特定の測定条件における測定値が存在しない場合でも、開発素材の特性データの測定値データとパラメータデータとから、測定条件の検索範囲における補間曲線が演算されて、検索結果の判断が行われる。従って、検索したい特定の測定条件における測定値が存在しない場合でも、検索対象を見逃すことを防止することができる。
【００６３】
又、表示部１３により、開発素材名と共にその組成、及び、この開発素材の特性検索データにおける測定値データを表示することができるので、検索結果適合と判断された開発素材名のみならず、その開発素材の組成や測定値データを参照することができ、便宜である。
【００６４】
又、開発素材の測定値データやパラメータデータを上記のデータ検索装置に入力することができるので、データ検索装置に蓄積される開発素材の特性データの量を増加させることができる。
【００６５】
ところで、上記の本実施の形態では、測定値データ中に測定点が存在しない測定条件における特性を求めるための補間曲線の演算方法としては、スプライン曲線補間方法が用いられているが、複数の曲線補間方法を用いるようにすることもできる。
【００６６】
即ち、パソコン１０のメモリ部１１には、特性データの測定値データから補間曲線を演算する複数種類の補間曲線の演算方法に対応したパラメータデータを記憶させると共に、これらの補間曲線の演算方法を実行するプログラムを収納する。そして、いずれの補間曲線の演算方法を用いるかを、検索条件の入力時に指定するようにするのである。
【００６７】
補間曲線の演算方法としては、上述したスプライン曲線補間方法のほか、直線補間方法や円弧補間方法がある。直線補間方法は直線を用いて補間を行うものであり、円弧補間方法は、円弧を用いて補間を行うものである。直線補間方法及び円弧補間方法は、補間曲線を作成する処理速度は早いが精度が悪いのに対して、スプライン曲線補間方法は、処理速度は遅いが精度がよいという特徴がある。図１７は、これらの補間曲線の演算方法における違いを示した図であり、図１７（ａ）は直線補間方法、図１７（ｂ）は円弧補間方法、そして、図１７（ｃ）はスプライン曲線補間方法について示している。
【００６８】
上記のようにして複数の曲線補間方法を用いることにより、補間曲線の演算方法を自由に指定することができ、上記のデータ検索装置において、検索目的に最適な補間曲線の演算方法を使用することができる。図１８は、このような複数種類の補間曲線の演算方法を採用した場合の、検索画面の例を示したものである。
【００６９】
上記の本実施の形態では、検索条件の入力の際、特性値検索範囲、及び、測定条件の検索範囲の入力では、通常、検索範囲の上限値と下限値を入力しているが、いずれか一方のみの入力も可能である。この場合の処理は、対象となる特性の性質によって異なるが、例えば、特性値が負の値をとりえない場合は、下限値の入力が省略された場合は、下限値を０とする等の処理が考えられる。又、上限値の入力が省略された場合は、測定値データ中の最大値までを取り扱う等の処理が考えられる。又、下限値と上限値を同じ値とすることにより、特定の値における検索を行うようにする等の処理も考えられる。
【００７０】
又、上記の本実施の形態では、開発素材に関する情報として、開発素材の組成を用いているが、開発素材の単価や、開発責任者の名前等のトナー名を用いるようにしてもよい。このようにすることにより、トナー名をキーとして、関連情報を増やすことができる。
【図面の簡単な説明】
【００７１】
【図１】本発明のデータ検索装置の構成を示したブロック図である。
【図２】本実施の形態におけるデータ検索装置の構成を示したブロック図である。
【図３】（ａ）は、本実施の形態における開発素材の特性データの例を示したテーブルであり、（ｂ）は、（ａ）における測定値データの例を示したテーブルであり、（ｃ）は、（ａ）における開発素材の組成の例を示したテーブルである。
【図４】（ａ）は、本実施の形態におけるスプライン曲線補間方法で使用されるＢスプライン曲線の模式図であり、（ｂ）は、パラメータデータを示したテーブルである。
【図５】本実施の形態におけるデータ検索装置の表示部に表示されるイニシャル画面を示した図である。
【図６】本実施の形態におけるデータ検索装置のデータ検索処理における動作を示したフローチャートである。
【図７】図６におけるステップ３（Ｓ３）の詳細動作を示したフローチャートである。
【図８】本実施の形態におけるデータ検索装置の表示部に表示される検索画面を示した図である。
【図９】本実施の形態における特性検索データの測定値データを示したグラフ（その1）である。
【図１０】本実施の形態における特性検索データの測定値データを示したグラフ（その２）である。
【図１１】本実施の形態における特性検索データの測定値データを示したグラフ（その３）である。
【図１２】本実施の形態における特性検索データの測定値データを示したグラフ（その４）である。
【図１３】本実施の形態における特性検索データの測定値データを示したグラフ（その５）である。
【図１４】本実施の形態における特性検索データの測定値データを示したグラフ（その６）である。
【図１５】本実施の形態におけるデータ検索装置の表示部に表示される検索結果の画面（その１）を示した図である。
【図１６】本実施の形態におけるデータ検索装置の表示部に表示される検索結果の画面（その２）を示した図である。
【図１７】（ａ）は、本実施の形態における直線補間方法を示したグラフであり、（ｂ）は、円弧補間方法を示したグラフであり、（ｃ）は、スプライン曲線補間方法を示したグラフである。
【図１８】複数種類の補間曲線の演算方法を採用した場合の本実施の形態におけるデータ検索装置の表示部に表示される検索画面を示した図である。
【符号の説明】
【００７２】
１  記憶手段
１ａ  測定値データ
１ｂ  パラメータデータ
１ｃ  特性の名称
１ｄ  測定条件の名称
１ｅ  物質の名称
２  検索条件入力手段
３  抽出手段
４  判断手段
４ａ  検索測定点含有判断部
４ｂ  検索測定値含有判断部
４ｃ  補間曲線演算部
４ｄ  検索結果判断部
５  出力手段
６  データ入力手段
７  パラメータデータ演算手段
８  記憶指示手段
１０  パソコン（データ検索装置）
１１  メモリ部
１２  入力部
１３  表示部
１４  ＣＰＵ部
【図１】
2006285766.tif 000003
【図２】
2006285766.tif 000004
【図３】
2006285766.tif 000005
【図４】
2006285766.tif 000006
【図５】
2006285766.tif 000007
【図６】
2006285766.tif 000008
【図７】
2006285766.tif 000009
【図８】
2006285766.tif 000010
【図９】
2006285766.tif 000011
【図１０】
2006285766.tif 000012
【図１１】
2006285766.tif 000013
【図１２】
2006285766.tif 000014
【図１３】
2006285766.tif 000015
【図１４】
2006285766.tif 000016
【図１５】
2006285766.tif 000017
【図１６】
2006285766.tif 000018
【図１７】
2006285766.tif 000019
【図１８】
2006285766.tif 000020